(57)【要約】【課題】両面磁気ストライプ付きの通帳を１回の挿入操作で両面の磁気ストライプのデータをリードライトできるよう当該通帳を搬送する媒体搬送装置及びその印字装置を提供する。【解決手段】  冊子８０が開らかれて表表紙８２と裏表紙８４が搬送方向に沿って前後するように、媒体の側面に沿った方向で媒体８０を搬送する搬送路１２を有し、裏表紙８４の磁気ストライプ８５をリードライトする第１の位置と表表紙８２の磁気ストライプ８３をリードライトする第２の位置に少なくとも媒体を搬送する搬送部と、上記第１の位置にある媒体に対しては、上記媒体の表表紙８２の一方の側面のみを押圧して、上記媒体の他方の側面を上記搬送路１６の側面に当てつけ、上記第２の位置にある媒体に対しては、上記媒体の裏表紙８４の一方の側面のみを押圧して、上記媒体の他方の側面を上記搬送路の側面に当てつけるガイド４０，５０を備える。【選択図】図９
2013145535.tif 000002
【特許請求の範囲】
【請求項１】
冊子状の媒体を搬送し、当該媒体の表表紙と裏表紙にそれぞれ設けられた磁気ストライプに対して移動してリードライトする磁気ヘッドを有する媒体搬送装置において、
上記冊子が開らかれた状態の媒体を、当該媒体の表表紙と裏表紙の綴じ目に直交する方向である媒体の側面に沿った方向で当該媒体を搬送する搬送路を有し、裏表紙の磁気ストライプをリードライトする第１の位置と表表紙の磁気ストライプをリードライトする第２の位置に少なくとも上記媒体を搬送する搬送部と、
上記第１の位置にある媒体に対しては、上記媒体の一方の側面のうちで表表紙の側面のみを押圧して、上記媒体の他方の側面を上記搬送路の側面に当てつけ、上記第２の位置にある媒体に対しては、上記媒体の一方の側面のうちで裏表紙の側面のみを押圧して、上記媒体の他方の側面を上記搬送路の側面に当てつけるガイドを備える
ことを特徴とする媒体搬送装置。
【請求項２】
上記ガイドは、上記媒体の上記搬送方向に直交する方向に移動可能で、当該媒体の側面を押圧する付勢力を有する可動ガイドである
ことを特徴とする請求項１に記載の媒体搬送装置。
【請求項３】
上記可動ガイドは、上記第１の位置にある媒体に対して、上記媒体の一方の側面のうちで表表紙の側面のみを押圧して、上記媒体の他方の側面を上記搬送路の側面に当てつける第1の可動ガイドと、上記第２の位置にある媒体に対して、上記媒体の一方の側面のうちで裏表紙の側面のみを押圧して、上記媒体の他方の側面を上記搬送路の側面に当てつける第２の可動ガイドを有する
ことを特徴とする請求項２に記載の媒体搬送装置。
【請求項４】
上記第1のガイドは、第２の位置では上記媒体の表表紙の側面に当接しないように設けられ、
上記第２のガイドは、第１の位置では上記媒体の裏表紙の側面に当接しないように設けられる、
ことを特徴とする請求項３に記載の媒体搬送装置。
【請求項５】
上記搬送路は、上記媒体の他方の側面が当てつけられる上記搬送路の側面を、上記磁気ヘッドが上記磁気ストライプをリードライトする場合の基準面とする
ことを特徴とする請求項２に記載の媒体搬送装置。
【請求項６】
上記搬送部は、上記媒体を上記搬送路で搬送するローラを複数有し、
上記ローラのすくなくとも一部は、上記媒体を搬送方向に搬送させながら上記媒体の他方の側面を上記基準面に当てつけるように搬送する
ことを特徴とする請求項５に記載の媒体搬送装置。
【請求項７】
請求項1乃至６のいずれか1項に記載の媒体搬送装置を備え、
媒体に印字する印字手段を備える
ことを特徴とする印字装置。
【発明の詳細な説明】
【技術分野】
【０００１】
本発明は、通帳印字装置の内部で、磁気読取部や印字部の位置に通帳等の媒体を搬送する媒体搬送装置に関する。
【背景技術】
【０００２】
金融機関等においては、窓口で操作される通帳処理（印字）装置や、顧客によって直接操作されるＡＴＭ（自動預金支払機）が多く用いられている。通帳には表面に磁気ストライプが貼付されて、ＡＴＭの通帳印字装置では、ＡＴＭに挿入された通帳の磁気ストライプに対して磁気ヘッドによる読取り書き込みが行われる。読み取った通帳データに応じて、サーバーからの必要な情報を取り出し通帳のページに取引情報等が印字される。
【０００３】
磁気ストライプは紙媒体である通帳に貼付されているので、正しく読み取り書込みを行うためには、通帳の位置決めが重要になり、そのために、以下のような提案がされている。
【０００４】
搬送経路に専用の幅寄せフィードローラを設けて、幅寄せフィードローラで通帳を搬送路の基準面に押し付ける装置が提案されている（特許文献１）。また、通帳の綴じ目に沿った方向に搬送する形式では、綴じ目でゆがんだ状態になりやすく、ゆがんだ状態では磁気ヘッドが正しく当接しないので、可動式の幅寄せガイドと、搬送ローラの押圧タイミングを調整するカムを設けた装置が提案されている（特許文献２）。
【０００５】
さらに、磁気ヘッドが通帳の磁気ストライプ面を移動中に、通帳が移動しないようにするために、通帳を搬送路の基準面に押し付ける可動ガイドと通帳を保持するためのローラを設けた装置も提案されている（特許文献３）。
【先行技術文献】
【特許文献】
【０００６】
【特許文献１】特開２００６−７６７０７号公報
【特許文献２】特開２０１０−１３７９６８号公報
【特許文献３】特開２０１０−１４０１４１号公報
【発明の概要】
【発明が解決しようとする課題】
【０００７】
通帳を基準面に押し付ける際の押圧力によって通帳が撓むと、磁気ストライプの面が、磁気ヘッドに対して傾いた状態になってしまい、正しい信号の読み取りができなくなるので、通帳を撓ませないようにする必要がある。
【０００８】
また、通帳のタイプとして、表表紙と裏表紙の両面に磁気ストライプが貼付された多科目通帳があるが、この多科目通帳の処理では、通帳印字装置に1回挿入するだけで、両面の磁気ストライプを読み書きでき、多科目の印刷もできることが望ましい。
【０００９】
そこで、両面タイプの通帳を搬送する搬送装置では、いずれの面の磁気ストライプをリードライトする場合にも通帳を撓ませない状態で行わなければならない。
本願発明は、上記課題に鑑み、両面磁気ストライプ付きの通帳を１回の挿入操作で両面の磁気ストライプのデータをリードライトできるよう当該通帳を搬送する媒体搬送装置及びその印字装置を提供することを目的とする。
【課題を解決するための手段】
【００１０】
上記目的を達成するために第１の発明に係る媒体搬送装置は、冊子状の媒体を搬送し、当該媒体の表表紙と裏表紙にそれぞれ設けられた磁気ストライプに対して移動してリードライトする磁気ヘッドを有する媒体搬送装置において、上記冊子が開らかれた状態の媒体を、当該媒体の表表紙と裏表紙の綴じ目に直交する方向である媒体の側面に沿った方向で当該媒体を搬送する搬送路を有し、裏表紙の磁気ストライプをリードライトする第１の位置と表表紙の磁気ストライプをリードライトする第２の位置に少なくとも上記媒体を搬送する搬送部と、上記第１の位置にある媒体に対しては、上記媒体の一方の側面のうちで表表紙の側面のみを押圧して、上記媒体の他方の側面を上記搬送路の側面に当てつけ、上記第２の位置にある媒体に対しては、上記媒体の一方の側面のうちで裏表紙の側面のみを押圧して、上記媒体の他方の側面を上記搬送路の側面に当てつけるガイドを備えるものである。
【００１１】
また、第２の発明に係る媒体搬送装置は、第１の発明に係る媒体搬送装置において、上記ガイドは、上記媒体の上記搬送方向に直交する方向に移動可能で、当該媒体の側面を押圧する付勢力を有する可動ガイドである。
【００１２】
また、第３の発明に係る媒体搬送装置は、第２の発明に係る媒体搬送装置において、上記可動ガイドは、上記第１の位置にある媒体に対して、上記媒体の一方の側面のうちで表表紙の側面のみを押圧して、上記媒体の他方の側面を上記搬送路の側面に当てつける第1の可動ガイドと、上記第２の位置にある媒体に対して、上記媒体の一方の側面のうちで裏表紙の側面のみを押圧して、上記媒体の他方の側面を上記搬送路の側面に当てつける第２の可動ガイドを有するものである。
【００１３】
また、第４の発明に係る媒体搬送装置は、第３の発明に係る媒体搬送装置において、上記第1のガイドは、第２の位置では上記媒体の表表紙の側面に当接しないように設けられ、上記第２のガイドは、第１の位置では上記媒体の裏表紙の側面に当接しないように設けられるものである。
【００１４】
また、第５の発明に係る媒体搬送装置は、第２の発明に係る媒体搬送装置において、上記搬送路は、上記媒体の他方の側面が当てつけられる上記搬送路の側面を、上記磁気ヘッドが上記磁気ストライプをリードライトする場合の基準面とする。
【００１５】
また、第６の発明に係る媒体搬送装置は、第５の発明に係る媒体搬送装置において、上記搬送部は、上記媒体を上記搬送路で搬送するローラを複数有し、上記ローラのすくなくとも一部は、上記媒体を搬送方向に搬送させながら上記媒体の他方の側面を上記基準面に当てつけるように搬送するものである。また、第７の発明に係る印字装置は、上記第１〜６の発明に係る媒体搬送装置を備え、媒体に印字する印字手段を備えるものである。
【発明の効果】
【００１６】
本発明によれば、両面磁気ストライプ付きの通帳を１回の挿入操作で両面の磁気ストライプのデータをリードライトできるよう当該通帳を搬送する媒体搬送装置及びその印字装置を提供することができる。
【図面の簡単な説明】
【００１７】
【図１】媒体搬送装置が適用された通帳印字装置１０の要部を上面から示す図である。
【図２】通帳印字装置１０を側面から示す図である。
【図３】媒体(通帳)における磁気ストライプの貼付位置および搬送時の媒体の状態を示す図である。
【図４】第１可動ガイド４０の詳細な構成を説明する図である。
【図５】通帳がガイドに進入する際のガイドの動きを説明する図である。
【図６】通帳印字装置１０における通帳印字処理の概略の手順を示すフローチャートである。
【図７】通帳挿入時の通帳８０の状態を示す通帳印字装置１０の搬送図である。
【図８】第１の位置に移動された通帳８０の位置を示す通帳印字装置１０の搬送図である。
【図９】第１の位置での通帳８０に対して磁気データリードが行われる様子を示す通帳印字装置１０の搬送図である。
【図１０】普通預金印字位置に搬送された通帳８０の用紙８８に普通預金の情報が印字される様子を示す通帳印字装置１０の搬送図である。
【図１１】第２の位置に搬送された通帳８０に対して磁気データリードが行われる様子を示す通帳印字装置１０の搬送図である。
【図１２】定期預金印字位置に搬送された通帳８０の用紙８８に定期預金の情報が印字される様子を示す通帳印字装置１０の搬送図である。
【図１３】媒体挿入口へ排出される直前の通帳を示す通帳印字装置１０の搬送図である。
【発明を実施するための形態】
【００１８】
以下、図面に従って本発明の実施形態を説明する。図１は本発明の実施の形態に係る媒体搬送装置を示す図である。媒体搬送装置はＡＴＭ装置の内部に設けられる。実施形態では、媒体搬送装置を通帳印字装置１０に適用した例で説明する。図１は、媒体搬送装置が適用された通帳印字装置１０の搬送経路を上面から示す図である。図２は、図１の通帳印字装置１０の搬送経路を側面から示す図である。なお、以下では  媒体として、普通預金通帳と定期預金通帳を兼用する多科目の預金通帳を例にする。
【００１９】
通帳印字装置１０は、顧客から挿入された通帳８０を内部で搬送して、通帳８０に貼付された磁気ストライプに対して磁気ヘッドでリードライト（読出／書込み）を行い、通帳８０の用紙に預け入れ／引き出し金額あるいは入金／出金等を記帳するものである。なお、以下で左右の表記は、図１で示すように、媒体挿入口１４側から見た方向を基準として表記する。また、媒体の搬送方向については、図１で示すような方向を内部方向と排出方向と表記し、両方向をあわせて搬送方向とも呼ぶ。
【００２０】
通帳印字装置１０は、搬送路１２、媒体挿入口１４、ローラ２０、位置検出部２２、第１磁気ヘッド２４、第２磁気ヘッド２６、印字ヘッド２８、第１可動ガイド４０、第２可動ガイド５０を有する。
【００２１】
搬送路１２は、内部に挿入された通帳８０を磁気ヘッドによるリードライト処理用の位置や印字処理用の位置に移動させるために、通帳８０が移動される通路である。搬送路１２は、第１ガイド部１６、第２ガイド部１７、第３ガイド部１８を有する。搬送路１２の横幅は、第１ガイド部１６、第２ガイド部１７、第３ガイド部１８、及び後述する第１可動ガイド４０、第２可動ガイド５０によって規制される。
【００２２】
媒体挿入口１４は、顧客が通帳８０を挿入する入口で、内部の搬送路１２に連続するように構成される。なお、媒体挿入口１４は通帳印字装置１０によって記帳等が終了した通帳８０が排出される排出口でもある。媒体挿入口１４は、ＡＴＭ装置の前面に設けられる。
【００２３】
第１ガイド部１６、第２ガイド部１７及び第３ガイド部１８は、搬送路１２の左右の側壁を形成して、搬送される通帳８０の幅方向の位置を規制する。第１ガイド部１６は、媒体挿入口１４に挿入直後の通帳８０の左側面を最初にガイドし、搬送路１２の入り口から印字ヘッド２８の位置まで区間で、搬送路１２の左側面に連続して設けられる。つまり、第１ガイド部１６は、挿入直後から印字ヘッド２８の直前の位置まで搬送される通帳８０の左側面を規制する。そして、第１ガイド部１６に側面が当てついた状態での通帳８０の位置を基準に磁気ヘッドの位置が調整されているので、第１ガイド部１６の内壁を基準面１９と呼ぶ。
【００２４】
第２ガイド部１７は、印字ヘッド２８の奥側の位置から搬送路１２の内部に向かって、第１ガイド部１６と同じく搬送路１２の左側面に設けられる。つまり、第２ガイド部１７は、印字ヘッド２８の奥側の位置から搬送路１２の内部に向かって搬送される通帳８０の左側面を規制する。
【００２５】
第３ガイド部１８は、印字ヘッド２８の奥側の位置から搬送路１２の内部に向かって、第２ガイド部１７と反対に搬送路１２の右側面に設けられる。つまり、第３ガイド部１８は、印字ヘッド２８の奥側の位置から搬送路１２の内部に向かって搬送される通帳８０の右側面を規制する。第２ガイド部１７と第３ガイド部１８間は、通帳８０の横幅よりわずかに広い幅で構成される。
【００２６】
搬送路１２の入り口から印字ヘッド２８の位置までの区間の搬送路１２の右側面は、第１可動ガイド４０と第２可動ガイド５０によって、規制される。詳細は後述する。
ローラ２０は、通帳８０を搬送路１２内で移動させるものである。ローラ２０は、上下で１対をなし、この１対で通帳８０を挟み（図２参照）、モータにより回転駆動され、通帳８０を搬送する（図２参照）。ローラ２０は、通帳８０の幅方向に一定間隔で離れて２つ設けられ、この２つは同軸に設けられる。ローラ２０は、搬送方向に適当な間隔で複数配置される（本図では、８組）。
【００２７】
また、ローラ２０はそのいくつかが、搬送される通帳８０にわずかに左方向に偏奇するような力を付与するように、通帳８０を挟み込む押圧力が左右非対象になるように構成される。これは、通帳８０を搬送しながら、通帳８０の左側面を常時第１ガイド部１６の基準面１９に当てつけるようにするためである。
【００２８】
位置検出部２２は、搬送される通帳８０の位置を検出する光学センサである。位置検出部２２は、搬送路１２の搬送経路に沿って適当な間隔で配置される。位置検出部２２からの検出信号に基づき、ローラ２０を駆動するモータが制御されて、各処理に応じた位置に通帳８０が搬送される。搬送路１２、ローラ２０及び位置検出部２２を搬送部とも呼ぶ。
第１磁気ヘッド２４及び第２磁気ヘッド２６は、通帳８０の表裏の表紙に貼付された磁気ストライプの信号を読み出しあるいは書込みするものである。排出方向側に位置する状態の磁気ヘッドを2点鎖線で示し、内部方向側に位置する状態の磁気ヘッドを実線で示す。
【００２９】
次に、冊子状の通帳８０における磁気ストライプの配置を、図３を用いて説明する。図３（Ａ）は、通帳８０の表裏の表紙の状態を示す図である。通帳８０の表表紙８２には、向かって左側に縦長の磁気ストライプＡ８３が貼付されている。通帳８０の裏表紙８４には、向かって右側に縦長の磁気ストライプＢ８５が貼付されている。表表紙８２と裏の表紙８４の間に、用紙８８が複数枚束ねられている。
【００３０】
図３（Ｂ）は、媒体挿入口１４に挿入される時、及び搬送路１２を搬送中の通帳８０の状態を示す図である。通帳８０は、開らかれた冊子状の媒体として、表表紙と裏表紙が搬送方向に沿って前後した状態で搬送される。本例では、通帳８０は、表表紙８２が先頭、裏表紙８４が後ろにした状態で、搬送される。搬送方向に平行な通帳の左側の面を左側面と呼び、搬送方向に平行な通帳の右側の面を右側面と呼ぶ。別な表現をすれば、冊子が開らかれた状態の通帳８０が、当該媒体の表表紙と裏表紙の綴じ目に直交する方向である通帳の側面に沿った方向で搬送される。
【００３１】
図１に戻る。第１磁気へッド２４は、第１ガイド部１６の近傍に配置され、通帳８０の裏表紙８４の磁気ストライプＢ８５に対してリードライトを行う。第１磁気ヘッド２４の移動範囲を、移動領域２５として示す。第２磁気ヘッド２６は、右側に配置され、通帳８０の表表紙８２の磁気ストライプＡ８３に対してリードライトを行う。第２磁気ヘッド２６の移動範囲を移動領域２７として示す。
【００３２】
第１磁気ヘッド２４及び第２磁気ヘッド２６は、磁気リードライトユニット３０によって制御される（図２参照）。磁気リードライトユニット３０は、磁気ヘッドの移動の制御や磁気ストライプＡ８３及びストライプＢ８５への信号のリードライトの制御を行う。図２に示すように、磁気ヘッドは、リードライトする時以外は、通帳８０より下がった位置に退避して、リードライトする場合のみ、通帳８０側に上昇し磁気ストライプ面に接触する。通帳８０の搬送によりヘッドが損傷されないようにするためである。リードライト時には、磁気ヘッドは磁気ストライプ面に接触しながら、磁気ストライプ面の長手方向に沿って一定速度で移動するよう駆動される。磁気ヘッドで読み取られた信号は、磁気リードライトユニット３０にて、増幅後にＡ／Ｄ変換され、さらにデータに復調される。
【００３３】
印字ヘッド２８は、印刷のための印字機溝と、通帳８０の幅方向に移動させる不図示の移動手段を有する。印字時には、ローラ２０によって通帳８０を縦方向（内部方向あるいは排出方向）に移動させて、印刷する行の位置を設定し、印字ヘッド２８を幅方向に移動させて、通帳８０の用紙８８に預け入れ／引き出し金額あるいは入金／出金等を印刷する。なお、搬送路１２の奥側には、用紙８８を捲るためページ捲り機溝が設けられ（図示は省略）、印刷ページを代える場合には、ページ捲り機溝の有る位置に通帳８０が搬送され、ページ捲りが行われる。
【００３４】
第１可動ガイド４０、第２可動ガイド５０は、通帳８０の左側面を第１ガイド部１６の基準面１９に当てつけるためのものである。第１可動ガイド４０は、第１磁気ヘッド２４による裏表紙８４の磁気ストライプＢ８５のリードライト時に、通帳８０の表表紙８２の右側面に当接して、通帳８０を左方向に押圧する。第２可動ガイド５０は、第２磁気ヘッド２６による表表紙８２の磁気ストライプＡ８３のリードライト時に、通帳８０の裏表紙８４の右側面に当接して、通帳８０を左方向に押圧する。
【００３５】
図４、５は、第１可動ガイド４０及び第２可動ガイド５０の詳細な構成を説明する図である。第１可動ガイド４０及び第２可動ガイド５０は、部品構成が共通するので、第１可動ガイド４０を代表して説明する。
【００３６】
図４（Ａ）は、図１で示したと同じ方向から見た第１可動ガイド４０の拡大図である。図４（Ｂ）は、図１で紙面の下方向(挿入口側)から第１可動ガイド４０を見た図である。図４（Ｃ）は、図１で紙面の右方向(側面側)から第１可動ガイド４０を見た図である。
【００３７】
第１可動ガイド４０は、固定金具４１、ガイドイタ４２、ガイドピン４３、ストッパーピン４４、イタバネ４５、ストッパーリング４６、固定板４７から構成される。固定金具４１は、側面部と底面部からなるＬ字型の部材（例えば板金）で、底面部が通帳印字装置１０に固定される。固定金具４１の側面部が通帳８０の搬送経路に沿った方向で配置される。固定金具４１の側面部にイタバネ４５、ガイドイタ４２等が組み付けられる。
【００３８】
ガイドイタ４２は横長形状（例えば板金）の部材で、長手方向が固定金具４１の側面部と平行になるように配置される。ガイドイタ４２は通帳８０の側面に当接するものである。ガイドイタ４２の長手方向の左右両端は、外側に浅く折り曲げられる。通帳８０の側面がガイドイタ４２に侵入する際に、通帳８０をスムースに通過させるようにするためである。
【００３９】
ガイドイタ４２の通帳８０と当接する面とは逆側の面には、ガイドピン４３とストッパーピン４４の計３本のピン（例えば金属ピン)が面に垂直な方向で固定して設けられる。ガイドピン４３はガイドイタ４２の長手方向（通帳８０の搬送経路）の略中央の位置に設けられる。ストッパーピン４４は、ガイドピン４３を挟んで長手方向で左右対象の位置に１つずつ設けられる。ガイドピン４３は、固定金具４１に対してガイドイタ４２が幅方向に移動するのをガイドするものである。ストッパーピン４４は、ガイドイタ４２が幅方向に移動するのをガイドするとともに、ガイドイタ４２が固定金具４１から脱落するのを防止するためのものである。
【００４０】
固定金具４１の側面部には、ガイドピン４３とストッパーピン４４に対応する孔が設けられ、ガイドイタ４２は、3本のピンによって固定金具４１の側面部に対して、略平行に移動可能となる。ストッパーピン４４に対応する左右の孔は、横方向に長い小判状の孔で形成され、ストッパーピン４４を傾かせた状態とすることができる（図５参照）。固定金具４１の側面部から突出した左右２本のストッパーピン４４の先端には、ストッパーリング４６（例えばＥリング）が組み付けられ、ガイドイタ４２の移動量を規制し、ガイドイタ４２が固定金具４１からの脱落を防止する。
【００４１】
固定金具４１の側面部とガイドイタ４２の内側の間にイタバネ４５が配置される。イタバネ４５も、固定金具４１の側面部と同等な長さの長方形形状で、金属のバネ材からなる。イタバネ４５は、長手方向で中央が平面で、左右が対象に、例えば２０度程度傾斜した面になっている。イタバネ４５は、長手方向を搬送経路に沿わせて、固定金具４１の側面部とガイドイタ４２間の隙間に組み付けられる。イタバネ４５の中央部は、ガイドピン４３が貫通され、バネ押さえ４７によって固定金具４１の側面部に固定される。イタバネ４５の左右の自由端が、ガイドイタ４２の内側にそれぞれ当接し、ガイドイタ４２を左方向（Ｐ方向）に付勢する。
【００４２】
以上により、ガイドイタ４２にはＰ方向へ付勢する力が常に備わるので、通帳８０が搬送されてガイドイタ４２に進入すると、搬送された通帳８０の右側面にガイドイタ４２が当接して、通帳８０は第１ガイド部１６の基準面１９に押し付けられる。尚、本イタバネ４５については、素材や傾斜面の角度等これに限定されるものではなく、同様の効果が得られる素材や角度であればよい。
【００４３】
図５は、通帳８０がガイドに進入する際のガイドの動きを説明する図である。通帳８０が進入してきた際の第１可動ガイド４０の変化の様子を示す図である。図１と同様に通帳印字装置１０を上面から見た図で、第１可動ガイド４０の部分を抽出して示す。
【００４４】
図５（Ａ）が、搬送された通帳８０の先端が第１可動ガイド４０の全長の半分程度の位置まで進入した状態である。通帳８０が進入する前は、第１可動ガイド４０のガイドイタ４２は、フリーの状態で、通帳の幅より内側に位置している。通帳８０が第１可動ガイド４０に進入した直後は、通帳８０の右側面に当接するガイドイタ４２の入口側（本図で左側）が外側に移動するが、ガイドイタ４２の出口側（本図で右側）はまだ移動がないので、ガイドイタ４２が搬送方向に対して平行ではなく、少し傾いた状態になる。図５（Ｂ）が、搬送された通帳８０が第１可動ガイド４０の全体に達した状態である。この状態では、ガイドイタ４２の全体が通帳８０と当接しているので、ガイドイタ４２は傾いた状態（図５（Ａ））から全体が変位して、平行な状態に戻る。以上、第１可動ガイド４０について説明したが、第２可動ガイド５０についても同様である。
【００４５】
図６は、通帳印字装置１０における通帳印字処理の概略の手順を示すフローチャートである。なお、かかる通帳印字処理は、通帳印字装置１０に備えられる不図示の制御部（ＣＰＵ）によって実行される。制御部は、搬送路１２に適宜配置された位置検出部２２からの検出信号に応じて、内部の駆動モータを制御して、ローラ２０を回転させて通帳８０を所定位置に移動させる。また、制御部は、磁気リードライトユニット３０を制御して、磁気ヘッド２４、２６の走行コントロールやリードライト制御を行う。また、制御部は、印字ヘッド２８の位置や印字内容を制御する印字制御部も有する。そして、図６のステップＳ１１〜ステップＳ１９までの各処理における通帳８０の搬送等の位置を図７〜１３の搬送図で示し、通帳印字処理に対応づけて通帳の各搬送状態を説明する。
【００４６】
ステップＳ１１では、通帳挿入処理を行う。図７は、通帳挿入時の通帳８０の位置を示す通帳印字装置１０の搬送図である。通帳８０が、顧客によって媒体挿入口１４に挿入されると、媒体挿入口１４の近傍に配置された位置検出部２２によって通帳８０の挿入が検出され、制御部は通帳挿入処理を実行する。制御部は、ローラ２０を回転させて通帳８０の内部への搬送を開始して、通帳８０を磁気ストライプＢ８５がリードライトされる位置（第１の位置）まで搬送する。
【００４７】
図７は、挿入された通帳８０がローラ２０で搬送され、通帳８０の先端が第２可動ガイド５０の中間位置くらいまで搬送された状態である。図５（Ａ）で示したように、第１可動ガイド４０のガイドイタ４２の入口に近い側が傾いた状態である。この状態から、さらに、通帳８０を内部方向に搬送し、第１の位置まで移動させる。
【００４８】
図８は、第１の位置に移動された通帳８０の位置を示す通帳印字装置１０の搬送図である。第１の位置は、通帳８０が、その裏表紙８４の磁気ストライプＢ８５が第１磁気ヘッド２４の移動領域２５内にセットされる位置で、通帳８０はその先端が印字ヘッド２８の手前まで搬送される。第１の位置に搬送された後、移動は停止される。
【００４９】
そして、第１の位置への搬送途中では、通帳８０は、その表表紙８２あるいは裏表紙８４の右側面に第１可動ガイド４０または第２可動ガイド５０が当接して、通帳８０の左側面が第１ガイド部１６の基準面１９に当てつけられる。
【００５０】
第１の位置においては、通帳８０の表表紙８２の右側面に第１可動ガイド４０が当接して、通帳８０は左方向に押圧され、通帳８０の左側面全体が第１ガイド部１６方向に当てつけられる。換言すれば、第１の位置で通帳８０の表表紙８２の右側面を押圧する位置に第１可動ガイド４０が配置される。
【００５１】
一方、第１の位置においては、第２可動ガイド５０が通帳８０の裏表紙８４の右側面には当接しない位置に配置されるので、通帳８０の裏表紙８４に直接力が加わることはない。なお、表表紙８２の磁気ストライプＡ８３は、第２磁気ヘッド２６の移動領域２７から外れた位置にある。
【００５２】
これにより、通帳８０の幅方向全体の位置が基準面に正しくセットされるが、リードライト用の磁気ストライプＢ８５の貼付されていない表表紙８２の側面だけが押圧され、磁気ストライプＢ８５の貼付された裏表紙８４の側面は、直接には押圧されないようにしたので、側面からの押圧力によってリードライト用の磁気ストライプが撓むことが防止できる。
【００５３】
通帳挿入処理（ステップＳ１１）後に、ステップＳ１２で、普通預金の磁気データリードを行う。図９は、第１の位置での通帳８０に対して磁気データリードが行われる様子を示す通帳印字装置１０の搬送図である。磁気ストライプＢ８５には、普通預金に関するデータ（登録番号、最新記帳日時、店舗データ等）が記録されている。
【００５４】
第１磁気ヘッド２４は、待機状態では、通帳８０の表面から下がった位置（退避位置）にある。リードライト時には、第１磁気ヘッド２４を磁気ストライプＢ８５に接触する位置まで持ち上げる（図２参照）。その後、第１磁気ヘッド２４を磁気ストライプＢ８５に沿って一定速度で走行させながら、磁気信号を読み取る。読み取った磁気信号は、データ化されて、普通預金通帳のデータとしてサーバーに送信される。これら磁気ヘッド２４、２６の走行や読取り制御は、磁気リードライトユニット３０で行われる。
【００５５】
上述したように、磁気ストライプＢ８５へのリードライト時に、磁気ストライプＢ８５が貼付されていない表表紙８２の右側面が第１可動ガイド４０により押圧されて、通帳８０の左側面が基準面１９に当てつくようにされる。これにより、通帳８０の磁気ストライプに対する磁気ヘッドのトラックズレや角度（アジマス：ａｚｉｍｕｔｈ）ずれを防止することができる。さらに、磁気ストライプ面の撓みの発生も防止できるので、走行する磁気ヘッドと磁気ストライプ間に空隙が生じる状態も防止することができる。以上により、磁気ストライプから安定して高出力の磁気信号を読み出すことができる。書込み時も同様である。
【００５６】
ステップＳ１３で、普通預金印字処理を実行する。普通預金印字処理は、ステップ１２で読み取られた普通預金のデータに基づき、サーバーから送信された当該普通預金に関する未記帳の入金や出金のデータを、用紙８８に印刷する。図１０は、普通預金印字位置に搬送された通帳８０の用紙８８に普通預金の情報が印字される様子を示す通帳印字装置１０の搬送図である。
【００５７】
印刷は、ローラ２０によって通帳８０を内部方向または排出方向に搬送させて、印字ヘッド２８の印字位置に用紙８８の印刷位置をあわせ、印字ヘッド２８が左右方向（通帳の幅方向）に移動させて、行なわれる。印字スペースがなくなった場合には、搬送路１２の奥側に設けられた不図示のページ捲り機溝まで通帳８０を搬送させて、用紙８８のページ捲りを行ってから、再度印字位置に搬送して、印字を継続する。
【００５８】
印字位置においても、第１可動ガイド４０が通帳８０の右側面に当接している。通帳８０は、第１ガイド部１６あるいは第２ガイド部１７に、通帳８０の左側面が当てついた状態で印刷がなされるので、用紙８８に対する印字位置の精度も確保される。
【００５９】
ステップＳ１４で、普通預金磁気データ更新を実行する。普通預金印字処理（ステップＳ１３）の終了後には、通帳８０へ印字処理した旨のデータを磁気ストライプＢ８５に書き込む処理を行う。通帳８０を図１０の印字位置から図８で示した第１の位置に戻して、図９で示したように、磁気ストライプＢ８５に第１磁気ヘッド２４により磁気データの消去／記録（上書きでも可）を行い、普通預金磁気データ更新を行う。
【００６０】
ステップＳ１２で説明したと同様に、通帳８０の幅方向の位置が基準面１９に正しくセットされるが、リードライト用の磁気ストライプＢ８５の貼付されていない表表紙８２の側面だけが第１可動ガイド４０により押圧され、磁気ストライプＢ８５の貼付された裏表紙８４の側面は、直接には押圧されないので、リードライト用の磁気ストライプＢ８５が撓むことが防止できる。これにより、磁気ストライプ規格に沿った磁気信号を安定して書き込みすることができる。
【００６１】
次に、定期預金についての処理を行う。ステップＳ１５で、定期預金ページ捲りを実行する。用紙８８を捲って、現在の普通預金のページから定期預金ページへ切換える処理である。搬送路１２の奥側に設けられるページ捲り機溝の位置に通帳８０を搬送し、ページ捲りを行う。
【００６２】
ステップＳ１６で、定期預金磁気データリードを実行する。ステップＳ１５で定期預金のページが捲られた通帳８０を、定期預金のデータ（登録番号、店舗データ等）が記録された表表紙８２に貼付けされた磁気ストライプＡ８３を第２磁気ヘッド２６でリードライトする位置（第２の位置）まで、搬送する。
【００６３】
図１１は、第２の位置に搬送された通帳８０に対して磁気データリードが行われる様子を示す通帳印字装置１０の搬送図である。図１１に示すように、第２の位置は、通帳８０が媒体挿入口１４の近傍まで戻された位置である。通帳８０をその表表紙８２の磁気ストライプＡ８３が第２磁気ヘッド２６の移動領域２７に対応する位置まで搬送する。
【００６４】
第２の位置においては、通帳８０の裏表紙８４の右側面に第２可動ガイド５０が当接して、通帳８０が左方向に押圧され、通帳８０の左側面全体が第１ガイド部１６方向に当てつけられる。一方、第２の位置においては、第１可動ガイド４０が通帳８０の表表紙８２の右側面には当接しない位置に配置されるので、通帳８０の表表紙８２に直接力が加わることはない。
【００６５】
これにより、通帳８０の幅方向全体の位置が基準面に正しくセットされるが、リードライト用の磁気ストライプＡ８３の貼付されていない裏表紙８４の側面だけが第２可動ガイド５０により押圧され、磁気ストライプＡ８３の貼付された表表紙８２の側面は、直接には押圧されないようにしたので、側面からの押圧力によってリードライト用の磁気ストライプＡ８３が撓むことが防止できる。以上により、磁気ストライプＡ８３から安定して高出力の磁気信号を読み出すことができる。
【００６６】
ステップＳ１７で、定期預金印字処理を実行する。定期預金印字処理では、ステップ１６で読み取られた定期通預金のデータに基づき、サーバーから送信された当該定期通預金に関する未記帳のデータを、用紙８８に印刷する。図１２は、定期預金印字位置に搬送された通帳８０の用紙８８に定期預金の情報が印字される様子を示す通帳印字装置１０の搬送図である。
【００６７】
ステップＳ１８で、定期預金磁気データ更新を実行する。定期預金印字処理（ステップＳ１７）の終了後には、通帳８０へ印字処理した旨のデータを磁気ストライプＡ８３に書き込む処理を行う。通帳８０を図１２の印字位置から図１１で示した第２の位置に戻して、磁気ストライプＡ８３に第２磁気ヘッド２６により磁気データの消去／記録（上書きでも可）を行い、定期預金磁気データ更新を行う。通帳８０の裏表紙８４の右側面に第２可動ガイド５０が当接して押圧する。
【００６８】
ステップＳ１９では、通帳排出を実行する。普通預金と定期預金の印字及び磁気データの更新が終了したので、処理の終わった通帳を媒体挿入口１４へ排出する。図１３は、媒体挿入口１４へ排出される直前の通帳を示す通帳印字装置１０の搬送図である。
【００６９】
なお、上記実施形態では、表表紙を先頭にして搬送されるが、逆でもよい。また、可動ガイドを第１，２可動ガイドに分けた例で説明したが、第１，２可動ガイドは同時には使用されないので、１つの可能ガイドに共通化し、読み取る対象が表表紙か裏表紙かに応じて共通の可動ガイドを移動させる可動ガイド移動手段を設けてもよい。つまり、共通の可動ガイドを、通帳の搬送に連動させ、通帳が第1の位置に搬送されるのに連動して、第１可動ガイドの位置に移動し、通帳が第２の位置に搬送されるのに連動して、第２可動ガイドの位置に移動させるようにすればよい。
【００７０】
以上説明した実施形態による効果を列記すると、少なくとも以下のようである。
１  磁気ストライプをリードライトする位置では、磁気ストライプの貼付（リードライト）されていない側の通帳の側面を押圧するようにしたので、磁気ストライプの貼付（リードライト）された側の通帳に撓みを与えることなく、通帳を規定の位置に安定させることができる。磁気ヘッドと磁気ストライプの相対位置を正しく設定することができ、安定したリードライトを実現することができる。
【００７１】
これは、通帳の表表紙と裏表紙は一体物ではあるが、通帳を開いた状態では、真ん中にあるつなぎ目（綴じ目）が１種リブの役割を果たすことで、例えば、表表紙の側面に押圧力が加わって、表表紙が撓んでも、裏表紙の撓みは少ないという、通帳の性質を利用したものである。
【００７２】
２  さらに、ローラによる偏奇力も与えるようにしたので、リードライト位置では、さらに可動ガイドにより通帳を押圧するので、通帳を確実に基準面に当てつけることができる。
【００７３】
なお、本発明は上述した実施形態そのままに限定されるものではく、実施段階でのその要旨を逸脱しない範囲で構成要素を変形して具体化することができる。本実施例では、通帳により説明を行ったが、これに限らず、磁気ストライプが貼付けられた媒体を使用する装置であれば、利用が可能である。例えば、各種伝票等の帳票類や冊子等にも利用が可能となる。また、上記実施形態に開示されている複数の構成要素の適宜な組み合わせにより、種々の発明を形成することができる。例えば、実施形態に示される全構成要素を適宜組合わせても良い。さらに、異なる実施形態にわたる構成要素を適宜組合わせてもよい。このような、発明の趣旨を逸脱しない範囲内において種々の変形や応用が可能であることはもちろんである。
【符号の説明】
【００７４】
１０  通帳印字装置
１２  搬送路  
１４  媒体挿入口
１６  第１ガイド部
１７  第２ガイド部
１８  第３ガイド部
１９  基準面    
２０  ローラ
２２  位置検出部  
２４  第１磁気ヘッド
２５  移動領域
２６  第２磁気ヘッド
２７  移動領域
２８  印字ヘッド
３０  磁気リードライトユニット
４０  第１可動ガイド  
４１  固定金具
４２  ガイドイタ
４３  ガイドピン
４４  ストッパーピン
４５  イタバネ
４６  ストッパーリング
４７  バネ押さえ
５０  第２可動ガイド  
８０  通帳
８２  表表紙  
８３  磁気ストライプＡ  
８４  裏表紙  
８５  磁気ストライプＢ
８８  用紙
【図３】
2013145535.tif 000003
【図６】
2013145535.tif 000004
【図１】
2013145535.tif 000005
【図２】
2013145535.tif 000006
【図４】
2013145535.tif 000007
【図５】
2013145535.tif 000008
【図７】
2013145535.tif 000009
【図８】
2013145535.tif 000010
【図９】
2013145535.tif 000011
【図１０】
2013145535.tif 000012
【図１１】
2013145535.tif 000013
【図１２】
2013145535.tif 000014
【図１３】
2013145535.tif 000015